(57)【特許請求の範囲】
【請求項１】
魚釣りに用いる釣竿であって、
竿体と、
前記竿体の穂先側端部に設けられた釣糸を係止可能な釣糸係止部と、
前記釣糸係止部に設けられ、前記釣糸に設定値以上の負荷が加わった際に前記釣糸の係止を解除する釣糸係止解除手段と
を備え、
前記釣糸係止部は、釣糸を係止する本体部と、前記本体部の穂先側に前記本体部より拡径するように形成された複数の拡径片とを備え、
前記拡径片は前記釣糸に設定値以上の負荷が加わった際に互いに集径する弾性を有し、
前記釣糸係止解除手段は前記拡径片である
ことを特徴とする釣竿。
【請求項２】
魚釣りに用いる釣針であって、
先端が尖った鉤状の針本体と、
前記本体部の他端に設けられた釣糸を係止可能な釣糸係止部と、
前記釣糸係止部に設けられ、前記釣糸に設定値以上の負荷が加わった際に前記釣糸の係止を解除する釣糸係止解除手段とを備え、
前記釣糸係止部は、釣糸を係止する本体部と、前記本体部の端部に前記本体部より拡径するように形成された複数の拡径片とを備え、
前記拡径片は前記釣糸に設定値以上の負荷が加わった際に互いに集径する弾性を有し、
前記釣糸係止解除手段は前記拡径片である
ことを特徴とする釣針。
【発明の詳細な説明】
【０００１】
【発明の属する技術分野】
本発明は魚釣りに用いる釣竿及び釣針に関する。
【０００２】
【従来の技術】
従来の釣竿の穂先側端部には、釣糸の一端を係止可能な釣糸係止部が設けられている。この従来の釣糸係止部は、ナイロン繊維等の合成繊維で形成された細い筒状の屈曲自在な糸状部材である（「ヘビ口」と呼ばれる部分である）。釣りを行う際にはこの釣糸係止部に釣糸を係止する。そして、釣糸の振れや回転と共に釣糸係止部も回転等して糸絡みを抑えている。
【０００３】
また、従来の釣糸の先端側には仕掛けや釣針等が取り付けられている。釣針は先端側に針を有する鉤状部材であり、基端側には釣糸を係止可能な釣糸係止部が設けられている。この釣糸係止部にはリング状のカンやくびれ部が形成されている。
【０００４】
【発明が解決しようとする課題】
釣りを行っている場合、釣針が水底の岩礁等の障害物に引っ掛かる、いわゆる根掛かりを起こすことがある。このように釣針が根掛かりしたときに釣針を回収するべく強く釣糸を引き上げると、竿体に過度の負荷がかかって竿体を破損してしまう恐れがある。また、釣針に大型魚がかかった場合も同様に、竿体に過度の負荷がかかって竿体を破損してしまう恐れがある。
【０００５】
本発明の課題は、過度の負荷がかかった際の竿体の損傷を防止可能な釣竿及び釣糸を提供することにある。
【０００８】
【課題を解決するための手段】
発明１にかかる釣竿は、魚釣りに用いる釣竿であって、竿体と、竿体の穂先側端部に設けられた釣糸を係止可能な釣糸係止部と、釣糸係止部に設けられ釣糸に設定値以上の負荷が加わった際に釣糸の係止を解除する釣糸係止解除手段とを備えている。
また、釣糸係止部は、釣糸を係止する本体部と、本体部の穂先側に本体部より拡径するように形成された複数の拡径片とを備えている。そして、拡径片は穂先側方向へ向かって釣糸に設定値以上の負荷が加わった際に互いに集径する弾性を有しており、釣糸係止解除手段はこの拡径片である。
【０００９】
この釣竿では、釣糸係止部に釣糸を係止して釣りを行う際に釣糸先端の釣針が根掛かり等をおこし、釣糸を介して釣竿に設定値以上の負荷が加わると、釣糸係止解除手段が釣糸係止部への釣糸の係止を解除する。そして、釣糸からの負荷より釣竿を開放して釣竿の損傷を抑える。この設定値は釣竿毎に設定される値であり、具体的には、釣竿の耐えうる撓り強度より小さな負荷力値である。釣竿の種類によってその撓り強度は様々であるが、例えば、釣竿の撓り強度が３kgw程度の場合は、設定値は２．５〜２．８kgw程度になる。
この釣竿を用いて釣りを行うときには、釣糸係止部の本体部に釣糸を巻回し係止する。本体部の穂先側の拡径片は本体部に比べて拡径しており、釣糸に設定値以下の負荷が加わっている場合には、釣糸の本体部に係止した部分が穂先側に抜け出てしまうのを抑えている。釣糸の先端の釣針が根掛かり等して、穂先側方向に向けて拡径片に釣糸から設定値以上の負荷が加わると、拡径片は自らの弾性によって内径方向に収束して本体部上の釣糸の係止を解除する。この結果、設定値以上の過重負荷が釣糸を介して釣竿にかかるのを抑えて釣竿の破損を防止する。そして、釣糸の係止を解除した後には、拡径片は弾性力により元の形状に戻る。
【００１１】
発明２にかかる釣針は、魚釣りに用いる釣針であって、先端が尖った鉤状の針本体と、針本体の他端に設けられた釣糸を係止可能な釣糸係止部と、釣糸係止部に設けられ釣糸に設定値以上の負荷が加わった際に釣糸の係止を解除する釣糸係止解除手段とを備えている。
また、釣糸係止部は、釣糸を係止する本体部と、本体部の端部に本体部より拡径するように形成された複数の拡径片とを備えている。そして、拡径片は釣糸に設定値以上の負荷が加わった際に互いに集径する弾性体を有し、釣糸係止解除手段はこの拡径片である。
この釣針では、釣糸係止部に釣糸を係止して釣りを行う際に釣針が根掛かり等をおこし、釣糸へ設定値以上の負荷が加わると、釣糸係止解除手段が釣糸係止部への釣糸の係止を解除する。そして、釣糸からの負荷より釣竿を開放して釣竿の損傷を抑える。
この釣針を用いて釣りを行うときには、釣糸係止部の本体部に釣糸を巻回し係止する。本体部の穂先側の拡径片は本体部に比べて拡径しており、釣糸に設定値以下の負荷が加わっている場合には、釣糸の本体部に係止した部分が穂先側に抜け出てしまうのを抑えている。
【００１２】
釣針が根掛かり等して、拡径片に釣糸から設定値以上の負荷が加わると、拡径片は自らの弾性によって内径方向に収束して本体部上の釣糸の係止を解除する。この結果、設定値以上の過重負荷が釣糸を介して釣竿にかかるのを抑えて釣竿の破損を防止する。そして、釣糸の係止を解除した後には、拡径片は弾性力により元の形状に戻る。また、この場合は、根がかりした釣針のみを犠牲にすることで、釣針より釣竿側に取り付けられたテンビン、コマセカゴ等の高価な仕掛けを守ることができる。
【００１３】
【発明の実施の形態】
［第１実施形態］
本発明の第１実施形態を採用した釣竿は、図１に示すように、元竿１と、元竿１の穂先側に順次連結される複数の中竿群２と、中竿群２の穂先側に連結される穂先竿３とを有している。この元竿１から穂先竿３は穂先側ほど小径になるようにテーパが形成された筒状の部材である。それぞれ炭素繊維やガラス繊維、チラノ繊維等の強化繊維に合成樹脂を含浸させたプリプレグから形成されている。穂先側の穂先竿３から順次竿元側の竿体内に挿入され収納可能になっており、いわゆる振出形式で連結されている。
【００１４】
元竿１は、最も竿元側に配置される竿体であって、竿元側端部にはＥＶＡやポリウレタン等の合成樹脂からなる蓋付き円筒型部材である竿元グリップ４が接着され固定されている。
穂先竿３は、穂先側端部に配置され、ＡＢＳ樹脂等の合成樹脂やアルミニウム合金、鉄またはこれらの合金等からなる補助部材１０（図３参照）と、補助部材１０及び穂先竿３の穂先側端部を内包するように穂先竿３の穂先側端部外周面に配置され、釣糸Ｌが係止される筒状の釣糸係止部２０とを有している。
【００１５】
釣糸係止部２０は、図２及び図３に示すように、アルミニウム合金やステンレス等の金属で形成された細い筒状部材である。釣糸係止部２０は、釣糸Ｌが巻き付けられる円筒型の本体部２１と、本体部２１の穂先側部分に穂先側から軸方向に一対の切り溝を形成することで設けられた一対の拡径片２２とを有している。
本体部２１は、穂先側端部に補助部材１０が取り付けられた穂先竿３の穂先側端部が一端側から筒状の内部の一部に挿入された状態で、穂先竿３の穂先側外周面に接着剤等によって固定されている。
【００１６】
一方、拡径片２２は本体部２１の穂先側部分に本体部２１と一体的に形成され、穂先側ほど大径になるように互いに拡径しており、またその材質自体の弾性によって、互いに径内方向に収集して外径が小径化可能になっている。この拡径片２２は、例えば、釣竿の撓り強度が５kgw程度の場合は、４．５〜４．８kgw程度の負荷が釣糸Ｌから穂先側方向に向けて加わった場合に互いに集径するようにその弾性が設定されている。なお、拡径片２２の拡径時の最大径は本体部２１に巻回された釣糸Ｌの巻付径より大径である。
【００１７】
この釣竿を用いて釣りを行うときには、釣糸係止部２０の本体部２１に釣糸Ｌを巻回し係止する。図３（ａ）に示すように、穂先側の一対の拡径片２２は本体部２１に比べて互いに拡径しており、釣糸Ｌに設定値以下の負荷が加わっている場合には、釣糸Ｌの本体部２１に係止した部分が穂先側に抜け出てしまうのを抑えている。一方、釣糸Ｌの先端の釣針が根掛かり等して、穂先側方向に向けて拡径片２２に釣糸Ｌから２．５〜２．８kgw以上の負荷が加わると、図３（ｂ）に示すように、拡径片２２は自らの弾性によって互いに内径方向に収束して本体部２１上の釣糸Ｌが穂先側に抜け出るように変形する。この結果、過重負荷が釣糸Ｌを介して釣竿にかかるのを抑えて釣竿の破損を防止できる。
【００１８】
［第２実施形態］
本発明の第２実施形態を採用した釣針は、図４に示すように、先端側に魚等の口を引っ掛けるために尖った針部３０を有する鉤状の針本体３１と、針本体３１の基端側外周に釣糸Ｌが巻き付けられる釣糸係止部３２とを備えている。釣糸係止部３２は釣糸Ｌが巻回され係止される本体部３２ａと本体部３２ａの他端側に外方に向かって先広がり形状に形成された一対の拡径片３２ｂとを有している。
【００１９】
針本体３１及び釣糸係止部３２は例えば、超弾性を有する形状記憶合金等からなり、この拡径片３２ｂは、基端側に向かって釣糸Ｌから一定以上の負荷（例えば、釣竿の撓り強度が３．０kgw程度の場合、およそ２．５〜２．８kgw程度の負荷）がかかると、自らの弾性力によって互いに近接してその径を小径化する。この釣針を用いて釣りを行うときには、釣糸係止部３２の本体部３２ａに釣糸Ｌを巻回し係止する。本体部３２ａの基端側の拡径片３２ｂは本体部３２ａに比べて拡径しており、釣糸Ｌに一定値以下の負荷が加わっている場合には、本体部３２ａに係止した釣糸Ｌが抜け出てしまうのを抑えている。そして、釣針が根掛かり等して、拡径片３２ｂに釣糸Ｌから一定以上の負荷が加わると、拡径片３２ｂは自らの弾性によって内径方向に収束して本体部３２ａ上の釣糸Ｌが基端側から抜け出るように変改する。こうして、釣糸Ｌを介して過重負荷が釣竿にかかるのを抑えて釣竿の破損を防止する。また、根掛かりした釣針のみを犠牲にすることで、釣針より釣竿側に取り付けられたテンビン、コマセカゴ等の高価な仕掛けを守ることができる。
【００２０】
［他の実施形態］
（ａ）前記第１実施形態においては振出形式の釣竿を示しているが、並継形式の釣竿でも本発明は適応可能である。
（ｂ）前記第１実施形態では、釣糸係止部２０は金属製であったが、これに限定されるものではなく、合成樹脂等を用いてもよい。
（ｃ）図５に示すように、拡径片は間隔をあけて配置された複数の片状部材であってもよい。また、拡径片は２つに限定されるものではなく、３以上の拡径片を設けてもよい。
（ｄ）図６に示すように、釣糸Ｌに補助糸Ｘを係止し、この補助糸Ｘを釣糸係止具の竿元側において竿体に係止してもよい。この場合には、設定値以上の負荷が釣糸Ｌから竿体にかかると釣糸Ｌが釣糸係止部より外れ、この外れた釣糸Ｌを補助糸Ｘが釣竿につなぎ止める。釣糸Ｌが釣糸係止部より外れることで、過重負荷が釣竿に加わっていることをユーザは認識でき、それ以上釣竿に塚がかからないようにすることで釣糸Ｌ及び仕掛けの紛失を防止できる。
【００２１】
【発明の効果】
本発明によれば、根掛かり等によって釣竿に過重な負荷が加わるのを抑えて釣竿のの破損を防止できる。
【図面の簡単な説明】
【図１】本発明の第１実施形態を採用した釣竿の全体図。
【図２】前記釣竿の穂先付近の拡大斜視図。
【図３】設定値以下の負荷がかかった（ａ）場合と、設定値以上の負荷がかかった場合（ｂ）の前記釣竿の穂先付近の拡大断面図。
【図４】本発明の第２実施形態を採用した釣針の全体図。
【図５】他の実施形態を示した図。
【図６】その他の実施形態を示した図。
【符号の説明】
１  元竿
２  中竿群
３  穂先竿
２０，３２  釣糸係止部
２１  本体部
２２  先端部
３１  針本体
Ｌ  釣糸
【図１】
0004249348.tif 000002
【図２】
0004249348.tif 000003
【図３】
0004249348.tif 000004
【図４】
0004249348.tif 000005
【図５】
0004249348.tif 000006
【図６】
0004249348.tif 000007